(57)【要約】【課題】ペットの肉球の間に入った砂、土、泥などの汚れを簡便に除去することができるとともに、爪研ぎの機能を同時に備えることができ、さらに、交換用の予備のマットを保管するために必要なスペースを大幅に削減することのできるマット及びペット用トレーを提供する。【解決手段】ペットが載る面部に、ペットの肉球の大きさに対応させた大きさの孔が設けられている。面部は、ペットが爪を研ぐことが可能な研ぎ面である。面部に設けられた孔は、前記ペットが前記マットに載ったときに、前記ペットの肉球同士が広がる大きさ、具体的には８〜３０ｍｍ、さらに好ましくは１０〜２０ｍｍの大きさに設定されている。【選択図】図１
2008092874.tif 000002
【特許請求の範囲】
【請求項１】
ペットが載る面部に、前記ペットの肉球の大きさに対応させた大きさの孔が設けられていること
を特徴とするマット。
【請求項２】
前記面部は、ペットが爪を研ぐことが可能な研ぎ面であることを特徴とする請求項１に記載のマット。
【請求項３】
前記面部に設けられた孔は、前記ペットが前記マットに載ったときに、前記ペットの肉球同士が広がる大きさに設定されていることを特徴とする請求項１又は請求項２に記載のマット。
【請求項４】
前記面部に設けられた孔は、前記ペットの肉球よりも大きく設定されていることを特徴とする請求項１又は請求項２に記載のマット。
【請求項５】
前記面部に設けられた孔は、８〜３０ｍｍの大きさに設定されていることを特徴とする請求項１乃至請求項４のうち、いずれか１に記載のマット。
【請求項６】
前記面部に設けられた孔は、１０〜２０ｍｍの大きさに設定されていることを特徴とする請求項１乃至請求項４のうち、いずれか１に記載のマット。
【請求項７】
前記面部の孔が多数並置されたハニカム状をなすことを特徴とする請求項１乃至請求項６のうち、いずれか１に記載のマット。
【請求項８】
復元力に抗して前記面部の面積を広げた状態で使用することを特徴とする請求項１乃至請求項７のうち、いずれか１に記載のマット。
【請求項９】
前記面部は、前記広げた状態の幅が自然状態の幅の約３倍であることを特徴とする請求項１乃至請求項８のうち、いずれか１に記載のマット。
【請求項１０】
少なくとも前記面部には合成樹脂が含浸されていることを特徴とする請求項１乃至請求項９のうち、いずれか１に記載のマット。
【請求項１１】
ペットが載る面部に、８〜３０ｍｍの大きさの孔を設けたこと
を特徴とするマット。
【請求項１２】
ペットが載る面部に前記ペットの肉球の大きさに対応させた大きさの孔が設けられているマットと、前記マットを保持するトレー本体と、からなること
を特徴とするペット用トレー。
【請求項１３】
前記マットの前記面部は、ペットが爪を研ぐことが可能な研ぎ面であることを特徴とする請求項１２に記載のペット用トレー。
【請求項１４】
前記トレー本体は、前記マットの復元力に抗して前記面部の面積を広げた状態で前記マットを保持する保持部を有することを特徴とする請求項１２又は請求項１３に記載のペット用トレー。
【発明の詳細な説明】
【技術分野】
【０００１】
本発明は、ペットの足裏の汚れを除去するためのマットに関する。
【背景技術】
【０００２】
ペットが屋外から屋内に入ったときに、足裏についた砂、土、泥その他の汚れを除去するためにマットその他の汚れ除去手段が用いられている。
【０００３】
一方、家の柱がペットの爪研ぎによる引っかき傷で破損してしまうことを防止するために段ボール紙を積層して形成した爪研ぎ器が用いられている。このような爪研ぎ器は、ペットが引っ掻くことによって段ボールの紙粉が散乱するという問題があることから、これを解決すべく合成樹脂を含浸した爪研ぎ器が提案されている（特許文献１）。
【０００４】
【特許文献１】特開平９−３０８４０４号公報
【発明の開示】
【発明が解決しようとする課題】
【０００５】
しかしながら、従来のマット等の汚れ除去手段では、ペットの足裏の表面の汚れは除去できるが、肉球の間に入った砂、土、泥などの汚れまでは十分に除去することができなかった。このため、汚れ除去手段で汚れを落としたのにも拘わらず、ペットが屋内を歩くうちに肉球の間に入った砂、土、泥が徐々に落下して床を汚してしまっていた。
【０００６】
また、従来のマット等の汚れ除去手段では、ペットの足裏の汚れ落としはできるが爪研ぎを十分に行うことができないことから、汚れ落とし及び爪研ぎの両者を行うために爪研ぎ器と汚れ除去手段の両方を用意しておく必要があった。さらに、爪研ぎ器及び汚れ除去手段は、それぞれペットが載るのに十分な大きさがなければならず、屋内に両者を配置するには大きなスペースが必要であった。また、これらは使用により汚れたときに交換しなければならず、交換用の予備の爪研ぎ又は汚れ除去手段をそれぞれ保管するために大きなスペースが必要であった。
【０００７】
そこで本発明は、上記課題に鑑み、ペットの肉球の間に入った砂、土、泥などの汚れを簡便に除去することができるとともに、爪研ぎの機能を同時に備えることができ、さらに、交換用の予備のマットを保管するために必要なスペースを大幅に削減することのできるマット及びペット用トレーを提供することを目的とする。
【課題を解決するための手段】
【０００８】
上記課題を解決するために、本発明のマットは、ペットが載る面部に、ペットの肉球の大きさに対応させた大きさの孔が設けられていることを特徴としている。
【０００９】
本発明のマットにおいて、面部は、ペットが爪を研ぐことが可能な研ぎ面であることを特徴とする。
【００１０】
本発明のマットにおいて、面部に設けられた孔は、ペットがマットに載ったときに、ペットの肉球同士が広がる大きさに設定されていることを特徴とする。
【００１１】
本発明のマットにおいて、面部に設けられた孔は、ペットの肉球よりも大きく設定されていることを特徴とする。
【００１２】
本発明のマットにおいて、面部に設けられた孔は、８〜３０ｍｍの大きさに設定されていることを特徴とする。
【００１３】
本発明のマットにおいて、面部に設けられた孔は、１０〜２０ｍｍの大きさに設定されていることを特徴とする。
【００１４】
本発明のマットにおいて、面部の孔が多数並置されたハニカム状をなすことを特徴とする。
【００１５】
本発明のマットにおいて、復元力に抗して面部の面積を広げた状態で使用することを特徴とする。
【００１６】
本発明のマットにおいて、面部は、広げた状態の幅が自然状態の幅の約３倍であることを特徴とする。
【００１７】
本発明のマットにおいて、少なくとも面部には合成樹脂が含浸されていることを特徴とする。
【００１８】
本発明のマットにおいて、ペットが載る面部に、８〜３０ｍｍの大きさの孔を設けたことを特徴とする。
【００１９】
本発明のペット用トレーは、ペットが載る面部にペットの肉球の大きさに対応させた大きさの孔が設けられているマットと、マットを保持するトレー本体と、からなることを特徴としている。
【００２０】
本発明のペット用トレーにおいて、マットの面部は、ペットが爪を研ぐことが可能な研ぎ面であることを特徴とする。
【００２１】
本発明のペット用トレーにおいて、トレー本体は、マットの復元力に抗して面部の面積を広げた状態でマットを保持する保持部を有することを特徴とする。
【発明の効果】
【００２２】
本発明によると、ペットの足裏の汚れを落とすための面部が、ペットの肉球の大きさに対応した大きさの孔を備えることにより、爪研ぎ等のためにペットがマットに載ると同時に、足裏表面の汚れだけでなく、肉球の間の汚れを簡便に除去することができる。
【００２３】
また、本発明のマットは、外力が加わらない自然状態で保管されるとともに、使用時にはその復元力に抗して面部の面積を広げた状態とされるため、交換用の予備の爪研ぎを保管するために必要なスペースを大幅に削減することができる。
【発明を実施するための最良の形態】
【００２４】
以下、本発明にかかる実施形態について、図面を参照しつつ詳しく説明する。ここで、図１は、本実施形態に係るマット１０の構成を示す平面図であって、（ａ）は、保管状態を示し、（ｂ）は、（ａ）の矢印Ｅ方向に広げられた使用状態を示す平面図である。本実施形態に係るペット用トレー５０（図４）は、マット１０と、トレー３０と、カバー４０と、を備える。
【００２５】
図１に示すように、本実施形態に係るマット１０は、中空の六角柱状の孔１４が並置された直方体状をなす。このマット１０は、外力を加えない自然状態（図１（ａ））で保管し、端面に現れる研ぎ面１２を含む方向（例えば、図１（ａ）の矢印Ｅに示す方向）に広げた状態（研ぎ面の面積を広げた状態）で後述のトレーに固定して使用する。使用状態においては、マット１０がその弾性により自然状態にもどろうとする復元力に抗して、広げた状態が維持される。このとき、ペットが載る面部としての研ぎ面１２は、ペット（例えば、猫、ウサギ）が数歩歩ける程度の大きさが好適であり、例えば４０ｃｍ×５０ｃｍであるが、爪研ぎ動作が容易にできるような大きさであれば適宜選定可能である。使用状態の研ぎ面１２の面積は、保管状態（自然状態）の面積の数倍から数十倍の範囲で適宜選択でき、例えば、図１（ｂ）に示すように、使用状態の幅Ｗ２は、図１（ａ）に示す保管状態の幅Ｗ１の約３倍とする。このように、交換用の予備のマット１０を自然状態で保管し、使用時には復元力に抗して研ぎ面１２の方向に広げる構成としているため、使用時の研ぎ面と同じ面積の研ぎ面のままで保管していた従来の爪研ぎと比べて、交換用の予備の爪研ぎを保管するために必要なスペースを大幅に削減することができる。
【００２６】
マット１０は、使用状態の研ぎ面１２に、ペットの肉球の大きさに対応した大きさの孔１４を並置されるハニカム状をなしている。ペットの肉球の大きさに対応とは、例えば、ペットの大きさや種類によって肉球自体の大きさが区々であることから、肉球が大きいペット用のマットの場合には孔１４も大きく、肉球が小さいペット用のマットの場合には孔１４も小さくする対応、また、同一のペットの足であっても大きい肉球と小さい肉球を併せもっていることから、これらの肉球の大小に応じて孔１４も変更する対応、というようにペットの肉球の大きさが考慮されていることである。
【００２７】
マット１０は、複数のウェブ１６を互い違いに部分接着させることによって、これらを広げた場合に六角形の孔１４が並置されるハニカム状となるようにして形成し、さらに、図１に示すように、マット１０の側面（特にマットを広げる方向（図１の矢印Ｅ方向）に垂直な面）を前記ウェブよりも厚手の側面部材１７を接着させることによって形成する。このように、側面部材１７を接着させることにより、強度を向上させることができるとともに、後述のようにトレー本体に保持させた場合、突起部（保持部）３２間でマット１０が撓むことを防止することもできる。なお、本実施形態においては、図１及び図４に示すように、側面部材１７を接着させたものを説明したが、必ずしもこれを接着させる必要はない。前記ウェブ１６および側面素材１７は、段ボールに用いられる紙素材を採択すれば、容易かつ安価に製造可能であるため好適である。六角形の孔１４は、マット１０の厚さ方向（図１の上下方向）に延びる中空の六角柱の断面であり、その大きさは、一例として、六角形の孔１４のそれぞれにペットの肉球がちょうど一つ入る程度の大きさとする。具体的には、六角形の孔１４の対向する頂点間の距離（図１（ｂ）のＬ）が８〜３０ｍｍであるとよく、特に１０〜２０ｍｍとすると多くの種類の猫などの肉球を受容できるため好ましい。また、六角形の孔１４を形成する壁の厚さ（又はウェブ１６の厚さ）は、隣り合う肉球がそれぞれ孔１４に入るように設定するとともに、爪研ぎを効果的に行うことができるように設定するのがよく、例えば０．５ｍｍが好適である。さらに、研ぎ面１２の全体形状及び六角形の孔１４の大きさは、ペットの種類・大きさに応じて複数種類用意することが好ましい。
【００２８】
研ぎ面１２をこのように構成すると、ペットが面部としての研ぎ面１２上に載ったときに、又は、ペットが研ぎ面１２上で爪研ぎ動作をしたときに、ペットの爪及び足の裏が六角形の孔１４を構成する壁に接触することにより、爪が研がれ、足の裏の汚れが除去される。さらに、ペットが研ぎ面１２上に載ると、ペット自身の体重によって六角形の孔１４に肉球が入ることによって隣り合う肉球の間に六角形の孔１４を構成する壁が入り込み、又は、肉球が孔１４に入り込まない場合でも孔１４が大きいために肉球同士が離れるようになるため、この状態からペットが動くことにより、肉球の間に入った砂、土、泥その他の汚れが除去される。
【００２９】
なお、本実施の形態では、孔１４は六角形のものを説明したが、本発明はこれに限定されるものではなく、他の形状とすることもできる。図５（ａ）はマット１０の第１変形例を示す平面図、（ｂ）はマット１０の第２変形例を示す平面図である。その一例として、図５（ａ）に示すように、三角形の孔１４が構成される場合であってもよいし、図５（ｂ）に示すように、四角形の孔１４が構成される場合であってもよい。三角形の孔１４とする場合（図５（ａ））、又は、四角形の孔１４とする場合（図５（ｂ））は、これらの孔１４の一辺の長さが、９ｍｍ〜２４ｍｍとするのが好適である。また、孔１４は、図１、図５のように総て同じ大きさ・同じ形状で並列されるように構成することが、製造の容易のためには好適であるが、一つのマット１０の中に、大きさの異なる孔１４、又は、形状の異なる孔１４が不均一に構成されるようにしてもよい。
【００３０】
また、マット１０は、少なくとも研ぎ面１２に合成樹脂（例えば、アクリル系、ナイロン系、塩化ビニル系の合成樹脂）を含浸させると、使用時に段ボール製の研ぎ面１２から紙粉が出にくくなり、マット１０の周囲を汚すことが少なくなるため好ましい。
【００３１】
以上のように構成されるマット１０は、その復元力に抗して研ぎ面１２を含む面方向（図１中のＥ方向）に広げた状態で、使用される。
【００３２】
次に、前記マット１０をセットして使用するペット用トレーについて、図２乃至図４を参照して説明する。ここで、図２（ａ）は、本実施形態に係るトレー３０の構成を示す平面図、図２（ｂ）は、図２（ａ）のＩＩＢ−ＩＩＢ線に沿った断面図、図３（ａ）は、本実施形態に係るカバー４０の構成を示す底面図、図３（ｂ）は、図３（ａ）のＩＩＩＢ−ＩＩＩＢ線に沿った断面図、図４は、本実施形態に係るペット用トレー５０の構成を示す斜視図であり、研ぎ面１２の一部を省略して示している。
【００３３】
図２に示すように、トレー３０は、平面視略矩形の盆状をなし、その底面３１の四隅には上方に突出する突起部（保持部）３２がそれぞれ設けられている。トレー３０の側壁３３の上部は、いったん外方に延出した後に下方に曲成された係止部３４をなしている。このトレー３０は、合成樹脂の成形により形成されている。トレー３０内には、平面視四角形のマット１０の四隅が４つの突起部３２の位置に対応するように、復元力に抗して広げられた状態（図１（ｂ）参照）のマット１０が取り付けられる。取り付けは、マット１０の六角形の孔１４をなす中空六角柱のうち、突起部３２に対応する４つに突起部３２をそれぞれ挿入することにより行う。
【００３４】
マット１０が取り付けられたトレー３０には、図３に示すカバー４０が装着される。このカバー４０は、平面視略矩形の枠体で構成され、側壁４３の下部は、内側に曲成されたフック４４をなしている。カバー４０は、合成樹脂の成形により形成されている。
【００３５】
図４に示すように、カバー４０は、マット１０を挟んでトレー３０に取り付けられる。カバー４０は、フック４４を係止部３４に係止することによりトレー３０に固定され、マット１０は、その外縁がトレー３０とカバー４０とにより挟持される。このようにマット１０及びカバー４０をトレー３０に固定すると、マット１０を確実に固定することができるため、研ぎ面１２上をペットが歩いたり、研ぎ面１２で爪研ぎをしても、マット１０が容易に動いたり、外れることがなくなり、爪研ぎ、足の裏の汚れ落とし、及び肉球間の汚れ落としの効果を高めることができる。また、マット１０のうち研ぎ面１２のみが露出するため、ペットがマット１０の外縁部分に接触して、外縁が崩れてマット１０がトレー３０から外れやすくなることを防止することができる。
【００３６】
なお、上述の説明では、突起部３２を、広げた状態のマット１０の四隅に対応する４カ所に配置したが、マット１０を、その復元力に抗して広げた状態で保持することができれば、その位置及び数は任意に設定することができるが、多数配置するとマット１０の撓みを防止することができるため好ましい。
【００３７】
また、上記実施形態では、ウェブ１６を互い違いに一部接着して中空の六角柱状の孔を形成していたが、本発明は、必ずしもこのような構成に限定されるものではない。例えば、細長の板状部材の一辺に、所定間隔毎に、対向辺側へ向かう切り込みを設け、この切り込みと、別の板状部材に同様に形成した切り込みと、を順次互いに噛合していくことにより中空の六角形状（又は四角形状、三角形状）の孔を形成することもできる。この切り込みの間隔は、形成する六角形（又は四角形、三角形）の一辺の長さに応じて設定する。これにより、接着剤が不要となるとともに、マット１０の一部が破損などにより使用できなくなったときに、該当部分の板状部材のみを差し替えるだけで修復することができる。
【００３８】
以上のように構成したことから、上記実施形態のマット１０及びペット用トレー５０によれば、次の効果（１）〜（２）を奏する。
【００３９】
（１）マット１０の研ぎ面１２が、ペットの肉球の大きさに対応した大きさの孔を備えることにより、爪研ぎと同時に足の汚れをとることができるだけでなく、肉球の間の汚れを簡便に除去することができる。
【００４０】
（２）外力が加わらない自然状態で保管されるとともに、使用時にはその復元力に抗して面部の面積を広げた状態とすることにより、交換用の予備の爪研ぎを保管するために必要なスペースを大幅に削減することができる。
【００４１】
本発明について上記実施形態を参照しつつ説明したが、本発明は上記実施形態に限定されるものではなく、改良の目的または本発明の思想の範囲内において改良または変更が可能である。
【図面の簡単な説明】
【００４２】
【図１】本発明の実施形態に係るマットの構成を示す平面図であって、（ａ）は保管状態を示し、（ｂ）は（ａ）の矢印Ｅ方向に広げられた状態を示す平面図である。
【図２】（ａ）は、本発明の実施形態に係るトレーの構成を示す平面図、（ｂ）は、（ａ）のＩＩＢ−ＩＩＢ線に沿った断面図である。
【図３】（ａ）は、本発明の実施形態に係るカバーの構成を示す底面図、（ｂ）は、（ａ）のＩＩＩＢ−ＩＩＩＢ線に沿った断面図である。
【図４】本発明の実施形態に係るペット用トレーの構成を示す斜視図である。
【図５】（ａ）は、本発明の実施形態に係るマットの第１変形例を示す平面図、（ｂ）は、本発明の実施形態に係るマットの第２変形例を示す平面図である。
【符号の説明】
【００４３】
１０  マット
１２  研ぎ面（面部）
１４  孔
１６  ウェブ
１７  側面部材
３０  トレー本体
３２  突起部（保持部）
４０  カバー
５０  ペット用トレー
【図１】
2008092874.tif 000003
【図２】
2008092874.tif 000004
【図３】
2008092874.tif 000005
【図４】
2008092874.tif 000006
【図５】
2008092874.tif 000007